(57)【特許請求の範囲】
【請求項１】
使用者が把持する手摺バーが壁面に対し回動可能に構成された可動式手摺において、
前記手摺バーを保持する保持部材を回動可能に軸支するため壁面に対し固定されたブラケットと、
前記ブラケットの前面を覆うように装着され、前記保持部材が貫通した状態で回動可能な開口部を有するカバーと、を備え、
前記保持部材が前記壁面側に回動されたとき、前記開口部の端縁部と前記保持部材との間に位置し、手指退避用の有底凹部を形成するスペーサを設けたことを特徴とする可動式手摺。
【請求項２】
前記有底凹部の壁面側に、前記保持部材の回動中心から遠ざかるにつれて前記壁面側に接近する形状の傾斜面を設けたことを特徴とする請求項１記載の可動式手摺。
【請求項３】
前記保持部材は、その回動中心を中心軸とする円柱状の回動基部と、前記回動基部より突設され前記手摺バーの基端部と連結する連結部とを有し、前記保持部材の回動基部の外周面に近接し且つ前記外周面に沿って湾曲した曲面を前記スペーサに設けた請求項１または２記載の可動式手摺。
【請求項４】
前記保持部材の回動基部における前記スペーサの曲面と対向する領域に、前記曲面に向かって膨出した拡径部を設けたことを特徴とする請求項３記載の可動式手摺。
【発明の詳細な説明】
【技術分野】
【０００１】
本発明は、一般住宅や公共施設などの建造物の壁面に設けられる手摺に関する。
【背景技術】
【０００２】
本願発明に関連する従来の可動式手摺としては、壁面に固定されたブラケットに手摺バーが回動可能に軸支されたものが知られている（例えば、特許文献１参照。）。特許文献１記載の可動式手摺の場合、手摺バーを壁面に対し回動可能に軸支するブラケットなどの機構が露出しているため、外観性に劣るものであった。そこで、図９に示す可動式手摺９０のように、壁面９１に固定されたブラケット９２の前面をカバー９５で覆うとともに、手摺バー９３を保持する保持部材９４の回動範囲に亘ってカバー９５に開口部９５ａを設け、このカバー９５の開口部９５ａから手摺バー９３の保持部材９４などを臨出させた構造とすることが対策として考えられる。
【０００３】
【特許文献１】特開２００４−３５３３６４号公報
【発明の開示】
【発明が解決しようとする課題】
【０００４】
図９に示す可動式手摺９０においては、図１０に示すように、手摺バー９３を起立方向に回動させたとき、カバー９５の開口部９５ａの端縁部と保持部材９４との間に、使用者が手指を挟んでしまうおそれがある。一方、これを回避するため、保持部材９４の回動範囲よりカバー９５の開口部９５ａの端縁部を拡げると、保持部材９４と開口部９５ａとの隙間からカバー９５内部のブラケット９２などの機構が見えてしまうので、外観性が損なわれる。
【０００５】
本発明が解決しようとする課題は、手摺バーの回動操作中の安全性に優れ、外観性も良好な可動式手摺を提供することにある。
【課題を解決するための手段】
【０００６】
本発明の可動式手摺は、使用者が把持する手摺バーが壁面に対し回動可能に構成された可動式手摺において、
前記手摺バーの基端部を保持する保持部材を回動可能に軸支するため壁面に対し固定されたブラケットと、
前記ブラケットの前面を覆うように装着され、前記保持部材が貫通した状態で回動可能な開口部を有するカバーと、を備え、
前記保持部材が前記壁面側に回動されたとき、前記開口部の端縁部と前記保持部材との間に位置する手指退避用の有底凹部を形成するスペーサを設けたことを特徴とする。
【０００７】
このような構成とすれば、手摺バーを壁面側に回動したとき、開口部の端縁部と保持部材との間に手指が退避可能な有底凹部が形成されるため、手指を挟むことがなく、回動操作中の安全性に優れている。また、カバーの開口部と保持部材との間が有底凹部の底部によって覆われ、外からカバー内が見え難くなりため、外観性も良好である。なお、スペーサはカバーやブラケットとは別部材であっても良いが、カバーあるいはブラケットと一体化させた構造とすることもできる。
【０００８】
ここで、前記有底凹部の壁面側に、前記保持部材の回動中心から遠ざかるにつれて前記壁面側に接近する形状の傾斜面を設けることが望ましい。このような構成とすれば、手摺バーとともに壁面側に向かって回動する保持部材によって押された手指は有底凹部の傾斜面に沿ってカバー外へスムーズに押し出されるので、安全性がさらに向上する。
【０００９】
また、前記保持部材は、その回動中心を中心軸とする円柱状の回動基部と、前記回動基部より突設され前記手摺バーの基端部と連結する連結部とを有し、前記保持部材の回動基部の外周面に近接し且つ前記外周面に沿って湾曲した曲面を前記スペーサに設ければ、スペーサと保持部材との間に手指が侵入不能となるので安全確保に有効である。
【００１０】
一方、前記保持部材の回動基部における前記スペーサの曲面と対向する領域に、前記曲面に向かって膨出した拡径部を設けることもできる。このような構成とすれば、保持部材のサイズアップを回避しつつ、設計時に拡径部の膨出量を調整することで保持部材の回動中心を所望の位置に配置しながら、カバー内へ手指が深く侵入するのを防止することができる。なお、拡径部は回動基部の一部を膨出させて設けてもよいが、回動基部と一体的に回動する別部材を当該回動基部に設けてもよい。
【発明の効果】
【００１１】
本発明により、手摺バーの回動操作中の安全性に優れ、外観性も良好な可動式手摺を提供することができる。
【発明を実施するための最良の形態】
【００１２】
以下、図面に基づき本発明の実施の形態について説明する。図１は本発明の実施の形態である可動式手摺を示す斜視図、図２は図１に示す可動式手摺の分解斜視図、図３（ａ）は図２に示すスペーサを斜め上方から見た斜視図、同図（ｂ）は前記スペーサを斜め下方から見た斜視図である。また、図４は図１に示す可動式手摺の回動状態を示す斜視図、図５は図４に示す可動式手摺の保持部材付近の垂直断面図である。
【００１３】
図１，図２に示すように、本実施形態の可動式手摺１０は、使用者が把持する略Ｕ字状の手摺バー１１が壁面１２に対し回動可能に構成されている。手摺バー１１を保持する略Ｔ字状の保持部材１３は、Ｔ字の水平部分に相当する円柱状の回動基部１３ｂが支軸１３ｃを介して略コ字状のブラケット１４に回動可能に軸支され、Ｔ字の垂直部分に相当する連結部１３ａに手摺バー１１の基端部１１ｃが連結されている。後述する図５に示すように、手摺バー１１は円筒状のステンレス管１１ａとその外周を密着状に覆う塩化ビニルからなる被覆管１１ｂとで形成されている。
【００１４】
平板材を略コ字状に折り曲げて形成されたブラケット１４は、そのコ字の垂直部分に相当する固定部１４ｂがネジ１８（図５参照）を用いて壁面１２に対して固定され、固定部１４ｂの両側にから前方に突出する一対の軸受け部１４ａの間に保持部材１３の回動基部１３ｂが回動可能に軸支されている。
【００１５】
ブラケット１４には、その前面を覆うようにカバー１５が装着され、カバー１５の前面には、保持部材１３の連結部１３ａが貫通した状態で回動可能な開口部１５ａが開設されている。また、保持部材１３が壁面１２側に回動されたとき（図４参照）、開口部１５ａの端縁部１５ｂと保持部材１３外周との間に位置する手指退避用の有底凹部１６ａを形成するスペーサ１６が設けられている。さらに、保持部材１３の回動基部１３ｂの外周の一部には、拡径部材１７が取り付けられている。
【００１６】
図３，図５に示すように、スペーサ１６は、その背面部をブラケット１４の固定部１４ｂに密着させた状態でネジ１９により固定されている。スペーサ１６の中央部分には、カバー１５の開口部１５ａの端縁部１５ｂ（図２参照）付近と同形のＵ字状の湾部１６ｂを有し、その下部に平面状の底部１６ｃが設けられている。また、スペーサ１６の底部１６ｃ下方には、保持部材１３の回動基部１３ｂの外周面に近接し且つ当該外周面に沿って凹状に湾曲した曲面１６ｅが形成されている。スペーサ１６の湾部１６ｂの両側には、前方に突出した一対の角状部１６ｄが設けられている。
【００１７】
また、図５に示すように、保持部材１３の回動基部１３ｂにおけるスペーサ１６の曲面１６ｅと対向する領域に拡径部材１７が取り付けられ、拡径部材１７の外面には、スペーサ１６の曲面１６ｅに向かって膨出した曲面１７ａが設けられている。
【００１８】
ここで、図４，図５に基づいて、手摺バー１１の回動状態について説明する。図４（ａ）及び図５（ａ）に示すように、水平状態にある手摺バー１１を壁面１２側に回動させると、図４（ｂ）及び図５（ｂ）に示すように、開口部１５ａの端縁部１５ｂと保持部材１３との間に手指Ｆが退避可能な有底凹部１６ａが形成される。このため、開口部１５ａの端縁部１５ｂと保持部材１３との間に手指Ｆを挟むことがなく、回動操作中の安全性に優れている。また、カバー１５の開口部１５ａと保持部材１３との間が有底凹部１６ａの底部１６ｃで覆われ、外からカバー１５の内部が見え難いので、外観性も良好である。
【００１９】
また、前述したように、スペーサ１６には、保持部材１３の回動基部１３ｂの外周面に近接し且つ当該外周面に沿って湾曲した曲面１６ｅが設けられているため、スペーサ１６と保持部材１３との間に手指Ｆが侵入不能となるので安全確保に有効である。さらに、保持部材１３の回動基部１３ｂにおけるスペーサ１６の曲面１６ｅと対向する領域に、曲面１６ｅに向かって膨出した曲面１７ａを有する拡径部材１７が固定されている。従って、設計時に拡径部材１７の厚みを調整することにより、保持部材１３のサイズアップを回避しつつ、保持部材１３の回動中心（支軸１３ｃ）を所望の位置に配置しながら、カバー１５内へ手指Ｆが深く侵入するのを防止することができる。
【００２０】
また、可動式手摺１０においては、保持部材１０の回動中心（支軸１３ｃ）が、円弧状に形成されているカバー１５の前面の中心とほぼ一致するよう拡径部材１７の厚みが設計されている（図５参照）。このような構成としたことにより、保持部材１３の回動範囲において開口部１５ａからの連結部１３ａの露出量はほぼ一定となるため、外観が良好に保たれる。
【００２１】
次に、図６〜図８に基づいて、スペーサに関するその他の実施形態について説明する。図６（ａ）はその他の実施形態であるスペーサを上方から見た斜視図、同図（ｂ）は前記スペーサを下方から見た斜視図、図７は図６に示すスペーサを組み込んだ可動式手摺の斜視図、図８は図７に示す可動式手摺の保持部材付近の垂直断面図である。なお、図６〜図８において図１〜図５と同符号を付している部分は前述した可動式手摺１０の構成部分と同じ構造、機能を有する部分であり、説明を省略する。
【００２２】
図６〜図８に示すように、スペーサ２６は、その背面部をブラケット１４の固定部１４ｂに密着させた状態でネジ１９により固定されている。スペーサ２６の中央部分には、カバー２５の開口部２５ａの端縁部２５ｂ付近と同形状のコ字状の湾部２６ｂを有し、湾部２６ｂで囲まれた有底凹部２６ａの壁面１２側に、滑らかな曲面状の傾斜面２６ｃが設けられている。また、スペーサ２６の有底凹部２６ａ下方には、保持部材１３の回動基部１３ｂの外周面に近接し且つ当該外周面に沿って凹状に湾曲した曲面２６ｅが形成されている。スペーサ２６の湾部２６ｂの両側には、前方に突出した一対の角状部２６ｄが設けられている。
【００２３】
図６，図８に示すように、スペーサ２６の有底凹部２６ａの傾斜面２６ｃは、保持部材１３の回動中心（支軸１３ｃ）から遠ざかるにつれて壁面１２側に接近するように傾斜している。従って、図７（ａ）及び図８（ａ）に示すように、水平状態にある手摺バー１１を、図７（ｂ）及び図８（ｂ）に示すように、起立させたとき、手摺バー１１とともに壁面１２側に向かって回動する保持部材１３によって押された手指Ｆは有底凹部２６ａの傾斜面２６ｃに沿ってカバー２５外へスムーズに押し出されるので、安全性がさらに向上する。
【００２４】
また、図７，図８に示すように、保持部材１３の回動基部１３ｂにおけるスペーサ２６の曲面２６ｅと対向する領域に拡径部材２７が取り付けられ、拡径部材２７の外面には、スペーサ２６の曲面２６ｅに向かって膨出した曲面２７ａが設けられるとともに、曲面２７ａの手摺バー１１先端側に突出部２７ｂが設けられている。図８（ｂ）に示すように、手摺バー１１を起立させたとき、突出部２７ｂは、有底凹部２６ａの前縁部２６ｆと、保持部材１３の連結部１３ａ外周との隙間に位置するので、手摺りバー１１を回動させる際にもこの隙間に手指Ｆが入り込む余地がなくなり、安全性がさらに向上する。その他の部分の構造、機能などは可動式手摺１０と同様である。
【００２５】
なお、前述した実施の形態においては、可動式手摺１０，２０の手摺バー１１が水平状態と垂直状態との間で回動する場合について説明したが、本発明はこれらに限定するものではないので、手摺バーが水平状態を保ちながら回動する可動式手摺においても実施可能である。
【産業上の利用可能性】
【００２６】
本発明の可動式手摺は、一般住宅や公共施設のトイレなどの壁面に設置して広く利用することができる。
【図面の簡単な説明】
【００２７】
【図１】本発明の実施の形態である可動式手摺を示す斜視図である。
【図２】図１に示す可動式手摺の分解斜視図である。
【図３】（ａ）は図２に示すスペーサを斜め上方から見た斜視図、（ｂ）は前記スペーサを斜め下方から見た斜視図である。
【図４】図１に示す可動式手摺の回動状態を示す斜視図である。
【図５】図４に示す可動式手摺の保持部材付近の垂直断面図である。
【図６】（ａ）はその他の実施形態であるスペーサを上方から見た斜視図、（ｂ）は前記スペーサを下方から見た斜視図である。
【図７】図６に示すスペーサを組み込んだ可動式手摺の斜視図である。
【図８】図７に示す可動式手摺の保持部材付近の垂直断面図である。
【図９】従来の可動式手摺を示す斜視図である。
【図１０】図９に示す可動式手摺の回動状態を示す部分斜視図である。
【符号の説明】
【００２８】
１０，２０  可動式手摺
１１  手摺バー
１１ａ  ステンレス管
１１ｂ  被覆管
１１ｃ  基端部
１２  壁面
１３  保持部材
１３ａ  連結部
１３ｂ  回動基部
１３ｃ  支軸
１４  ブラケット
１４ａ  軸受け部
１４ｂ  固定部
１５，２５  カバー
１５ａ，２５ａ  開口部
１５ｂ，２５ｂ  端縁部
１６，２６  スペーサ
１６ａ，２６ａ  有底凹部
１６ｂ，２６ｂ  湾部
１６ｃ  底部
１６ｄ，２６ｄ  角状部
１６ｅ，１７ａ，２６ｅ，２７ａ  曲面
１７，２７  拡径部材
１８，１９  ネジ
２６ｃ  傾斜面
２６ｆ  前縁部
２７ｂ  突出部
Ｆ  手指
【図１】
0005045464.tif 000002
【図２】
0005045464.tif 000003
【図３】
0005045464.tif 000004
【図４】
0005045464.tif 000005
【図５】
0005045464.tif 000006
【図６】
0005045464.tif 000007
【図７】
0005045464.tif 000008
【図８】
0005045464.tif 000009
【図９】
0005045464.tif 000010
【図１０】
0005045464.tif 000011